(57)【要約】【課題】一戸建てや集合住宅といった住宅等の建物の室内と室外とを隔てるドア状又は壁状の仕切構造体に容易に設置でき、投入口の開口部を大きくすることができ、荷物のいたずらや盗難を防ぎ且つ投入時に室内を見られないようにした、不在時配達荷物受取り装置を提供する。【解決手段】ドア状又は壁状の仕切構造体に設置される不在時配達荷物受取り装置であって、投入口と、扉体と、配達荷物を収容する不透明収容袋体と、前記開口部の中央に向かって垂設せしめられ、先端部が鋸歯状とされてなり、室内側へ傾倒可能に設けられた複数の上側ガード板と、前記開口部の中央に向かって立設せしめられ、先端部が鋸歯状とされてなり、室内側へ傾倒可能に設けられた複数の下側ガード板と、前記上側ガード板の先端部と下側ガード板との先端部との間に形成されてなる隙間と、袋保護用板と、印鑑を備えた押印部と、を有してなるようにした。【選択図】図１
2020018636.tif 000002
【特許請求の範囲】
【請求項１】
室内と室外とを隔てるドア状又は壁状の仕切構造体に設置される不在時配達荷物受取り装置であって、
前記仕切構造体の上方に開口部が形成されてなり、配達荷物が投入される投入口と、
前記投入口を開閉自在に閉塞する扉体と、
前記投入口から投入された配達荷物を収容する不透明収容袋体と、
前記開口部の略上半分を塞ぐように、前記開口部の中央に向かって垂設せしめられ、先端部が鋸歯状とされてなり、室内側へ傾倒可能に設けられた複数の上側ガード板と、
前記開口部の略下半分を塞ぐように、前記開口部の中央に向かって立設せしめられ、先端部が鋸歯状とされてなり、室内側へ傾倒可能に設けられた複数の下側ガード板と、
前記上側ガード板の先端部と下側ガード板との先端部との間に形成されてなる隙間と、
前記上側ガード板よりも室内側に設けられ、前記開口部に垂設せしめられてなる、袋保護用板と、
前記投入口付近に設けられ、受領印を押すための印鑑を備えた押印部と、
を有してなる、
不在時配達荷物受取り装置。
【請求項２】
前記複数の上側ガード板と複数の下側ガード板のそれぞれが、独立して傾倒可能とされてなる、請求項１記載の不在時配達荷物受取り装置。
【請求項３】
前記上側ガード板の先端部と下側ガード板との先端部との間に形成されてなる隙間が１０〜４０ｍｍである、請求項１又は２記載の不在時配達荷物受取り装置。
【請求項４】
前記上側ガード板の先端部と下側ガード板との先端部が、それぞれ室内側に屈曲せしめられてなる、請求項１〜３いずれか１項記載の不在時配達荷物受取り装置。
【請求項５】
前記投入口の下端が、前記仕切構造体の下端から１４０ｃｍ〜１５０ｃｍの高さとなる位置に設けられてなる、請求項１〜４いずれか１項記載の不在時配達荷物受取り装置。
【発明の詳細な説明】
【技術分野】
【０００１】
本発明は、一戸建てや集合住宅といった住宅等の建物の室内と室外とを隔てるドア状又は壁状の仕切構造体に設置することで、居住者が不在時でも配達荷物を受取り可能とする不在時配達荷物受取り装置に関する。
【背景技術】
【０００２】
昨今では、インターネットショッピングや通信販売の普及などによって、宅配便による配達荷物の取扱量が急激に増加している。一方で、配達荷物を運ぶ配送ドライバーが不足してきており、これらは深刻な問題になってきている。
【０００３】
また、配達荷物の増加に伴い、居住者が不在で再配達をせざるを得ないケースも増加しており、居住者が不在時でも配達荷物を受取れる宅配受取りボックスの需要が高まっており、様々な宅配ボックスが製作され商品化されている。
【０００４】
既設の個人の住宅やアパートの一室の玄関先に設置するのではなく、ドアや壁に設置するタイプの居住者が不在時でも配達荷物を受け取れる宅配受取りボックスとして、本願出願人は特許文献１に記載された不在時配達荷物受取り装置を提案している。
【０００５】
しかしながら、配達される荷物には、箱のサイズが大きいものも多く、より投入口の開口部が大きいものが望まれていた。一方で、投入口の開口部を大きくすると、荷物の投入時に不在時の室内を見られてしまうおそれがあるし、第三者による荷物の盗難のおそれもある。
【先行技術文献】
【特許文献】
【０００６】
【特許文献１】実用新案登録第３２１１５５７号
【発明の開示】
【発明が解決しようとする課題】
【０００７】
本発明は上記した従来技術の問題点に鑑みてなされたもので、一戸建てや集合住宅といった住宅等の建物の室内と室外とを隔てるドア状又は壁状の仕切構造体に容易に設置でき、投入口の開口部を大きくすることができ、荷物のいたずらや盗難を防ぎ且つ投入時に室内を見られないようにした、不在時配達荷物受取り装置を提供することを目的とする。
【課題を解決するための手段】
【０００８】
本発明の不在時配達荷物受取り装置は、室内と室外とを隔てるドア状又は壁状の仕切構造体に設置される不在時配達荷物受取り装置であって、前記仕切構造体の上方に開口部が形成されてなり、配達荷物が投入される投入口と、前記投入口を開閉自在に閉塞する扉体と、前記開閉式投入口から投入された配達荷物を収容する不透明収容袋体と、前記開口部の略上半分を塞ぐように、前記開口部の中央に向かって垂設せしめられ、先端部が鋸歯状とされてなり、室内側へ傾倒可能に設けられた複数の上側ガード板と、前記開口部の略下半分を塞ぐように、前記開口部の中央に向かって立設せしめられ、先端部が鋸歯状とされてなり、室内側へ傾倒可能に設けられた複数の下側ガード板と、前記上側ガード板の先端部と下側ガード板との先端部との間に形成されてなる隙間と、前記上側ガード板よりも室内側に設けられ、前記開口部に垂設せしめられてなる、袋保護用板と、前記投入口付近に設けられ、受領印を押すための印鑑を備えた押印部と、を有してなる、不在時配達荷物受取り装置である。
【０００９】
前記複数の上側ガード板と複数の下側ガード板のそれぞれが、独立して傾倒可能とされてなるのが好適である。
【００１０】
前記上側ガード板の先端部と下側ガード板との先端部との間に形成されてなる隙間が１０〜４０ｍｍであるのが好適である。前記隙間が１５ｍｍ〜２５ｍｍであるのがさらに好ましい。なぜなら隙間がある程度狭い方が、封書など柔らかい書類などの受取も可能である一方で、防犯上良いからである。
【００１１】
前記上側ガード板の先端部と下側ガード板との先端部が、それぞれ室内側に屈曲せしめられてなるのが好適である。
【００１２】
前記投入口の下端が、前記仕切構造体の下端から１４０ｃｍ〜１５０ｃｍの高さとなる位置に設けられてなるのが好適である。
【発明の効果】
【００１３】
本発明によれば、一戸建てや集合住宅といった住宅等の建物の室内と室外とを隔てるドア状又は壁状の仕切構造体に容易に設置でき、投入口の開口部を大きくすることができ、荷物のいたずらや盗難を防ぎ且つ投入時に室内を見られないようにした、不在時配達荷物受取り装置を提供することができるという著大な効果を奏する。
【図面の簡単な説明】
【００１４】
【図１】本発明の不在時配達荷物受取り装置の一つの実施の形態を示し、扉体を開けている状態を示す斜視図である。
【図２】図１の不在時配達荷物受取り装置の分解斜視図である。
【図３】図１の不在時配達荷物受取り装置を玄関ドアに設置した状態を示す正面図である。
【図４】図１の不在時配達荷物受取り装置の扉体を開けている状態を示す正面図である。
【図５】図１の不在時配達荷物受取り装置の背面図である。
【図６】図１の不在時配達荷物受取り装置の押印部の要部拡大図である。
【図７】図３のＡ−Ａ´線断面図である。
【図８】図７の状態から荷物を投入した状態を示す断面図である。
【図９】図８の状態から荷物を収容した状態を示す断面図である。
【図１０】図１の状態から荷物を投入した状態を示す断面図である。
【発明を実施するための形態】
【００１５】
以下に本発明の実施の形態を説明するが、これらは例示的に示されるもので、本発明の技術思想から逸脱しない限り種々の変形が可能なことはいうまでもない。
【００１６】
図１〜図１０に、本発明の不在時配達荷物受取り装置の一つの実施の形態を示す。
【００１７】
不在時配達荷物受取り装置１０は、室内１２と室外１４とを隔てるドア状又は壁状の仕切構造体１６に設置される不在時配達荷物受取り装置である。図示例では、仕切構造体１６としては、玄関ドア１８の例を示した。
【００１８】
不在時配達荷物受取り装置１０は、図１〜図６によく示される如く、仕切構造体１６の上方２０に開口部２２が形成されてなり、配達荷物２４が投入される投入口２６と、前記投入口２６を開閉自在に閉塞する扉体２８と、前記投入口２６から投入された配達荷物２４を収容する不透明収容袋体３０と、前記開口部２２の略上半分を塞ぐように、前記開口部２２の中央に向かって垂設せしめられ、先端部３２が鋸歯状とされてなり、室内側へ傾倒可能に設けられた複数の上側ガード板３４ａ，３４ｂ，３４ｃと、前記開口部２２の略下半分を塞ぐように、前記開口部２２の中央に向かって立設せしめられ、先端部３６が鋸歯状とされてなり、室内１２側へ傾倒可能に設けられた複数の下側ガード板３８ａ，３８ｂ，３８ｃ，３８ｄと、前記上側ガード板３４ａ，３４ｂ，３４ｃの先端部３２と下側ガード板３８ａ，３８ｂ，３８ｃ，３８ｄとの先端部３６との間に形成されてなる隙間４０と、前記上側ガード板３４ａ，３４ｂ，３４ｃよりも室内１２側に設けられ、前記開口部２２に垂設せしめられてなる、袋保護用板４２と、前記投入口２６付近に設けられ、受領印を押すための印鑑４４を備えた押印部４６と、を有する構造である。図示例では、隙間４０は、２０ｍｍの例を示した。
【００１９】
前記上側ガード板３４ａ，３４ｂ，３４ｃ（図示例では３枚）と下側ガード板３８ａ，３８ｂ，３８ｃ，３８ｄ（図示例では４枚）とはその各板が開口部２２に蝶番で枢着せしめられており、各板が水平方向に９０°まで、即ち地面Ｇと平行になるまで傾倒可能とされている。このように、投入される配達荷物２４の大きさに応じて、上側ガード板３４ａ，３４ｂ，３４ｃと下側ガード板３８ａ，３８ｂ，３８ｃ，３８ｄがそれぞれ独立して傾倒可能とされている。また、前記上側ガード板３４ａ，３４ｂ，３４ｃと下側ガード板３８ａ，３８ｂ，３８ｃ，３８ｄはその各板が、配達荷物２４の投入時に傾倒したら、配達荷物２４が投入されたら元の位置に戻るように、その各板がバネ部材で付勢せしめられている。
【００２０】
不透明収容袋体３０としては、材質に特別の限定はなく、配達人が室内１２を覗くことができないように、透けて見えないような不透明な材質のもので柔軟性がある材質で作製すればよい。例えば、ターポリンなどのテント生地で作製することができる。このように、不透明収容袋体３０を使っているため、開口部２２を大きくしても室内１２を見ることができないので、従来よりも開口部２２を大きくすることができる。また、開口部２２を大きくしたので、配達荷物２４を収容する不透明収容袋体３０をスリムにすることが可能となった。
【００２１】
また、前記投入口２６の開口部２２のサイズは、例えば、サイズ１００のダンボール箱が投入可能な大きさとすることができる。サイズ１００のダンボール箱とは、箱の三辺の合計、つまり縦＋横＋高さの合計が１００ｃｍ以内のダンボール箱を指す。図示例では、開口部２２としては、縦２４５ｍｍ×横３３０ｍｍの開口部とした例を示した。
【００２２】
図２によく示されるように、不在時配達荷物受取り装置１０の投入口２６は、それぞれ中央に開口部が形成された表パネル４８、中間枠５０、室内枠５２とから構成されている。表パネル４８は、周縁部が室外１４側に露出し、室内枠５２の周縁部は室内１２側に露出する。不在時配達荷物受取り装置１０を仕切構造体１６に取り付けるにあたって、取り付け金具は、室内枠５２側からしか取り付けられない構造とされている。そのため、室外１４から取り外されるおそれはない。
【００２３】
扉体２８は、表パネル４８に、扉軸５４，５６によって開閉可能に取り付けられている。また、扉体２８には、マグネット５８が取り付けられており、表パネル４８に設けられたマグネット受座６０に吸着せしめられることで、扉体２８が確実に閉塞せしめられる。
【００２４】
押印部４６は、図２によく示される如く、印鑑４４が、持ち手棒６２を備えたホルダ６４に昇降可能に取り付けられており、印鑑ケース６６の切り欠き部６８からレバー７０が突出せしめられている。そして、配達人が受領書に受領印を押印するときは、図６に示すように、レバー７０を配達人が上方向Ｏにして印鑑４４を上に持ち上げる。そして、符号のＰ方向から受領書を印鑑４４の下に差し入れて、レバー７０を配達人が下方向Ｑに押し下げれば印鑑４４によって押印されることになる。
【００２５】
袋保護用板４２は、上側ガード板３４ａ，３４ｂ，３４ｃの先端部３２によって、不透明収容袋体３０に傷が付かないように保護するための樹脂製の板であり、室内枠５２の上部に蝶番によって枢着せしめられており、傾倒可能とされている。
【００２６】
前記上側ガード板３４ａ，３４ｂ，３４ｃの先端部３２と下側ガード板３８ａ，３８ｂ，３８ｃ，３８ｄとの先端部３６は、図１，図７〜図１０などによく示される如く、室内１２側にくの字に屈曲せしめられている。これにより、配達荷物２４の投入時に先端部３２と先端部３６によって配達荷物２４が傷つくおそれがない。
【００２７】
また、投入口２６の下端は、図３に示す如く、いたずらや盗難を防ぐために、配達人が手の届く高さである前記仕切構造体１６の下端から１４０ｃｍ〜１５０ｃｍの高さＤ１となる位置に設けられてなる。また、不透明収容袋体３０の長さは、図９に示す最も伸張した状態でも前記不透明収容袋体３０の下端が床面に着かない長さとされている。前記仕切構造体１６としては、ドア状又は壁状の仕切構造体であり、玄関の扉や室内１２と室外１４とを隔てる壁などにも設置可能である。図３の例では、前記仕切構造体１６としては、玄関ドアの例を示した。不在時配達荷物受取り装置１０は、玄関の扉や外壁に穴を開けて設置される。
【００２８】
また、不透明収容袋体３０の下部には、ファスナーが設けられている（図示は省略）。不透明収容袋体３０に収容された配達荷物２４は、ファスナーを開けることで、容易に取り出せるように構成されている。また、不透明収容袋体３０の上部を室内側から取り外し可能としてもよい。
【００２９】
不透明収容袋体３０は、図７に示されるように、通常は仕切構造体１６の内側、即ち玄関ドアや壁の内側に吊るされて邪魔にならぬよう畳んだ状態となっているが、配達荷物２４が押し込まれると自在に膨らみ大きな荷物を収容することができるようになっており、大きな荷物であっても受取ることが可能である。このようにスリムに畳んだ収容袋の構造としているため、通常は軽く場所をとらず、玄関ドアや壁の内側に設置しても、室内の邪魔にならず、かなり大きな荷物でも容易に収納できる。
【００３０】
このように構成された不在時配達荷物受取り装置１０の作用を説明する。
【００３１】
本発明の不在時配達荷物受取り装置１０では、配達人は鍵や暗証番号などの道具手段を必要とせず、通常の郵便ポストに投函するのと同じ要領で配達荷物１８を配達し玄関ドア（仕切構造体１６）に設けられた不在時配達荷物受取り装置１０に投入できる。また受取る側の居住者は何らの鍵も暗証番号も不要であり、自宅の玄関ドアに設置された不在時配達荷物受取り装置１０に荷物が届くこととなる。
【００３２】
配達人が配達荷物２４を配達し、居住者の不在を確認したら、扉体２８を開けて配達荷物２４を投入する（図７及び図８）。このとき、不透明収容袋体３０があるので、配達人から室内１２を見ることはできない。配達荷物２４が投入される時は、図１０に示される如く、投入される配達荷物２４の大きさに応じて、上側ガード板３４ａ，３４ｂ，３４ｃと下側ガード板３８ａ，３８ｂ，３８ｃ，３８ｄがそれぞれ独立して傾倒可能とされている。配達荷物２４が投入されると、図９のようにして不透明収容袋体３０に収容される。
【００３３】
そして、配達人は受領書に受領印を押印するため、図６に示すように、レバー７０を配達人が上方向Ｏにして印鑑４４を上に持ち上げる。そして、符号のＰ方向から受領書を印鑑４４の下に差し入れて、レバー７０を配達人が下方向Ｑに押し下げれば印鑑４４によって押印される。あとは、配達人は扉体２８を閉めて立ち去ることができる。このように、本発明の不在時配達荷物受取り装置１０では、従来よりも簡単な構造で、安全且つ簡便に不在時の配達荷物を受け取れることが可能になった。この不在時配達荷物受取り装置１０を用いれば、大きな配達荷物だけではなく、郵便物や小荷物などの不在であっても配達される書類や品物も安全に受取ることができる。
【００３４】
不在時配達荷物受取り装置１０は、軽量であるため、玄関ドアや玄関横の壁にダンボール箱が入る３０ｃｍ〜４０ｃｍ×３５ｃｍ〜４５ｃｍ程度の穴を開ければ設置できる。
【００３５】
不在時配達荷物受取り装置１０は、一戸建てや集合住宅といった住宅等の建物の室内と室外とを隔てるドア状又は壁状の仕切構造体に容易に設置でき、投入口の開口部を大きくすることができ、荷物のいたずらや盗難を防ぎ且つ投入時に室内を見られない構造となっている。そして、荷物のいたずらや盗難を防ぐことができ、且つ配達人側又は居住者側のいずれも鍵や暗証番号の入力が不要であるという利点がある。また、仕切構造体であるドアの厚さや壁の厚さが異なっても、不在時配達荷物受取り装置１０は、設計上、取り付け金具の長さなどを変えるだけの調整で、仕切構造体の厚さが４０〜８０ｍｍまで自在に取り付けが可能となっている。
【符号の説明】
【００３６】
１０：不在時配達荷物受取り装置、１２：室内、１４：室外、１６：仕切構造体、１８：玄関ドア、２０：仕切構造体の上方、２２：開口部、２４：配達荷物、２６：投入口、２８：扉体、３０：不透明収容袋体、３２，３６：先端部、３４ａ，３４ｂ，３４ｃ：上側ガード板、３８ａ，３８ｂ，３８ｃ，３８ｄ：下側ガード板、４０：隙間、４２：袋保護用板、４４：印鑑、４６：押印部、４８：表パネル、５０：中間枠、５２：室内枠、５４，５６：扉軸、５８：マグネット、６０：マグネット受座、６２：持ち手棒、６４：ホルダ、６６：印鑑ケース、６８：切り欠き部、７０：レバー、Ｏ：上方向、Ｐ：挿入方向、Ｑ：下方向。
【図１】
2020018636.tif 000003
【図２】
2020018636.tif 000004
【図３】
2020018636.tif 000005
【図４】
2020018636.tif 000006
【図５】
2020018636.tif 000007
【図６】
2020018636.tif 000008
【図７】
2020018636.tif 000009
【図８】
2020018636.tif 000010
【図９】
2020018636.tif 000011
【図１０】
2020018636.tif 000012